【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
次の諸要素、すなわち、
下方領域において接地体（１２，１１２）が一体化された下部要素（１１，１１１，２１１，３１１）であって、少なくとも上方領域において透湿性である要素と穿孔された要素との間で選択されている下部要素（１１，１１１，２１１，３１１）、
上部の透湿性のかつ／または穿孔された要素（１３，１１３）、
前記下部要素（１１，１１１，２１１，３１１）と前記上部要素（１３，１１３）との間に介在された透湿性・防水性膜（１６，１１６，２１６，３１６）であって、この膜と前記下部要素（１１，１１１，２１１，３１１）と前記上部要素（１３，１１３）とが相互接触の周辺領域において密閉状に接合されている透湿性・防水性膜（１６，１１６，２１６，３１６）、
前記下部要素（１１，１１１，２１１，３１１）にかつ／または前記上部要素（１３，１１３）に含まれているとともに３次元生地から作られており、通気用間隙（１９，１１９）を形成している少なくとも１つの透湿性快適層（１４，１１４）
の組み合わせを備えてなることを特徴とする、特にサンダル、サボなどのような開放靴用であるがこれに限定されない靴用の透湿性・防水性底革。
【請求項２】
前記上部要素（１３，１１３）は、前記少なくとも１つの透湿性快適層（１４，１１４）からなっていることを特徴とする請求項１に記載の靴用底革。
【請求項３】
前記上部要素（１３，１１３）は、透湿性のかつ／または穿孔された材料から作られている、前記底革に嵌まる足裏に接するための第１層（１３ａ）と、この第１層（１３ａ）の下方に配置され、かつ、３次元生地から作られ、前記透湿性快適層（１４，１１４）によって構成された第２層と、前記透湿性快適層（１４，１１４）の下方に設けられている第３層（２０）とからなり、前記第３層（２０）は、足裏に関して解剖学的に輪郭が合わされているとともに、透湿性のかつ／または穿孔されたものであり、前記透湿性快適層（１４，１１４）は、前記第３層（２０）よりも小さい平面寸法を有しているとともに、前記第３層（２０）に関して中心に形成された相補的な平坦空洞の内側に配置されていることを特徴とする請求項２に記載の靴用底革。
【請求項４】
前記底革の硬さを調整するための穿孔されたあるいは透湿性の第４層（２１）が、前記第３層（２０）の下方に設けられていることを特徴とする請求項３に記載の靴用底革。
【請求項５】
互いに連続して配置された２つの透湿性快適層（１４，１１４）を備えていることを特徴とする先行請求項の１つ以上に記載の靴用底革。
【請求項６】
前記第１層（１３ａ）は、穿孔されたなめし革から作られていることを特徴とする請求項３〜５の１つ以上に記載の靴用底革。
【請求項７】
前記第３層（２０）は、前記底革の拡張部分に対して実質的に直角に穿孔された発泡材料から作られていることを特徴とする請求項３〜６の１つ以上に記載の靴用底革。
【請求項８】
前記第１層（１３ａ）は、前記第２層（１４）の端縁の周りをくるむように外方へ折り曲げられていることを特徴とする請求項３〜７の１つ以上に記載の靴用底革。
【請求項９】
前記第１層（１３ａ）は、前記第３層（２０）の前記側方縁部の端縁の周りをくるむように外方へ折り曲げられていることを特徴とする請求項３〜７の１つ以上に記載の靴用底革。
【請求項１０】
前記３次元生地は、エアーメッシュ型のものであることを特徴とする先行請求項の１つ以上に記載の靴用底革。
【請求項１１】
前記３次元生地は、針穿孔型のものであることを特徴とする先行請求項の１つ以上に記載の靴用底革。
【請求項１２】
前記下部要素（１１１）の上部の平面拡張部分に沿って１つの部分（１１７，２１７，３１７）があり、その部分には、前記底革（１００，１００ａ，２００，３００，４００，５００，６００）の外側とその部分（１１７）の内側との間に側方通気用要素（１０６，２０６）が設けられ、この側方通気用要素（１０６，２０６）は前記膜（１１６，２１６，３１６）に機能的に接合されていることを特徴とする先行請求項の１つ以上に記載の靴用底革。
【請求項１３】
前記部分（１１７）は、その中心部に、端縁（１１７ｂ）によって密閉状に区切られた中空領域（１１７ａ，２１７ａ）を有し、前記側方通気用要素（１０６，２０６）は、前記端縁（１１７ｂ）に形成されているとともに、前記中空領域（１１７ａ，２１７ａ）の内側と前記底革（１００，１００ａ，２００，３００，４００，５００，６００）の外側との間における機能的連通のための貫通状通気用通路（１０７）によって構成されていることを特徴とする請求項１２に記載の靴用底革。
【請求項１４】
層状の格子型要素（１２０）が、前記中空領域（１１７ａ）の内側に配置され、空洞を形成しているとともに、底革の拡張部分に対して実質的に直角に穿孔されていることを特徴とする請求項１３に記載の靴用底革。
【請求項１５】
透湿性要素（１２０ａ）が、前記中空領域（１１７ａ）の内側に配置されていることを特徴とする請求項１３に記載の靴用底革。
【請求項１６】
突出部（２２０ａ）が、前記中空領域（２１７ａ）の内側から、前記底革（２００）の拡張部分に対して実質的に直角に延びており、前記突出部（２２０ａ）は、前記中空領域（２１７ａ）の深さに実質的に等しい高さがあることを特徴とする請求項１３に記載の靴用底革。
【請求項１７】
前記下部要素（３１１）の前記上方部分（３１７）は、前記上方部分（３１７）の横方向拡張部分の全体に沿って広がった対応する透湿性層状要素（３２０）によって構成されていることを特徴とする請求項１３に記載の靴用底革。
【請求項１８】
前記下部要素（１１，１１１，２１１，３１１）は、前記底革の拡張部分に対して実質的に垂直である複数の貫通孔（１５，４１５，５１５，６１５）を有していることを特徴とする先行請求項の１つ以上に記載の靴用底革。
【請求項１９】
保護要素（１８，１１８，２１８，３１８）が、前記下部要素（１１，１１１，２１１，３１１）へ差し向けられかつ耐加水分解性、撥水性、透湿性あるいは穿孔された面で前記膜（１６，１１６，２１６，３１６）に接合され、前記保護要素（１８，１１８，２１８，３１８）には、前記膜（１６，１１６，２１６，３１６）と同じ平面寸法があることを特徴とする先行請求項の１つ以上に記載の靴用底革。
【請求項２０】
前記下部要素（１１，１１１，２１１，３１１）と前記上部要素（１３，１１３）とは、さまざまな構成要素層のスポット接着剤接合あるいは周辺接着剤接合によって固定されていることを特徴とする先行請求項の１つ以上に記載の靴用底革。
【請求項２１】
先行請求項の１つ以上に記載の底革を備えていることを特徴とする、特にサンダル、サボなどのような開放型用であるがこれに限定されない靴。
【手続補正２】
【補正対象書類名】明細書
【補正対象項目名】００２７
【補正方法】変更
【補正の内容】
【００２７】
上部要素１３は、実質的に膜１６の上方に配置されているとともに、以下に説明するように、すべてが透湿性のあるいは穿孔されたものである多重層から構成されている。上部要素１３の上部層は、透湿性のかつ／または例えば穿孔なめし革のような穿孔された材料から作られた第１層１３ａからなっている。
【手続補正３】
【補正対象書類名】明細書
【補正対象項目名】００２８
【補正方法】変更
【補正の内容】
【００２８】
この第１層１３ａの下方には第２層が設けられており、この第２層は、３次元生地から作られたごく透湿性の快適層１４に重なっているかあるいは快適層１４である。前記３次元生地には通気用間隙１９が形成されているが、この間隙１９は人間の体重によって一部だけ変形して、間隙の全体つぶれが防止されるので、通気用空間が常に維持される。
【手続補正４】
【補正対象書類名】明細書
【補正対象項目名】００３３
【補正方法】変更
【補正の内容】
【００３３】
第１層１３ａのなめし革は、第２層１４の端縁の周りをくるむことによって、あるいは、いわゆる「こまごました」足底要素の場合のように、必要であれば第３層２０の側方縁部の周りをくるむことによって底革を適合させるように、外方へ差し向けられている。
【手続補正５】
【補正対象書類名】図面
【補正対象項目名】全図
【補正方法】変更
【補正の内容】
【図１】
2006528010.tif 000001
【図２】
2006528010.tif 000002
【図３】
2006528010.tif 000003
【図４】
2006528010.tif 000004
【図５】
2006528010.tif 000005
【図６】
2006528010.tif 000006
【図７】
2006528010.tif 000007
【図８】
2006528010.tif 000008
【図９】
2006528010.tif 000009